(57)【要約】  温水ボトル（１）のためのマルチパート安全閉鎖装置は、少なくとも、温水ボトルの雌ねじに螺合させるための雄ねじ（１２）と、閉鎖部（４）を温水ボトル（１４）の内部ねじ山にねじ込むための運動量を伝達するための第１の力伝達要素（６）を有し、温水ボトル（１４）を水密的にシールするとともに温水ボトル（１４）の内部ネジ山（１７）から閉鎖部（４）を外す、閉鎖部（４）と、閉鎖部（４）を温水ボトル（１４）の雌ねじ山（１７）に締め付けたり緩めたりするのに必要な運動量を閉鎖部（４）に導入するための第２の力伝達要素（８）を有する手動作動要素（２）と、を含む。第１の力伝達要素（６）および第２の力伝達要素（８）が、閉鎖部分（４）と手動作動要素（２）とを作動可能な接続部を形成することによって互いに解放可能に結合することができるように対応して具現化されている。
2018507759.tif 000002
【特許請求の範囲】
【請求項１】
温水ボトル（１）のためのマルチパート安全閉鎖装置であって、
少なくとも、
前記温水ボトルの雌ねじに螺合させるための雄ねじ（１２）と、閉鎖部（４）を前記温水ボトル（１４）の内部ねじ山にねじ込むための運動量を伝達するための第１の力伝達要素（６）を有し、前記温水ボトル（１４）を水密的にシールするとともに前記温水ボトル（１４）の前記内部ねじ山（１７）から前記閉鎖部（４）を外す、閉鎖部（４）と、
前記閉鎖部（４）を前記温水ボトル（１４）の雌ねじ山（１７）に締め付けたり緩めたりするのに必要な運動量を前記閉鎖部（４）に導入するための第２の力伝達要素（８）を有する手動作動要素（２）と、を含む、温水ボトル（１）のためのマルチパート安全閉鎖装置であって、
前記第１の力伝達要素（６）および前記第２の力伝達要素（８）は、前記閉鎖部（４）と前記手動作動要素（２）とを作動可能な接続部を形成することによって互いに解放可能に結合することができるように対応して具現化されていることを特徴とする、温水ボトル（１）のためのマルチパート安全閉鎖装置。
【請求項２】
請求項１に記載の温水ボトルのためのマルチパート安全閉鎖装置であって、
前記第１の力伝達要素（６）は、内部力伝達要素として周囲壁部分によって具体化され、前記第２の力伝達要素（８）は、内部力伝達要素を少なくとも部分的に貫通するように配置され、または
前記第１の力伝達要素（６）が、特にフックアンドループファスナーを有する平坦な力伝達要素として形成され、または、前記第２の力伝達要素（８）が、特にフックアンドループファスナーを有する平坦な力伝達要素として形成されていることを特徴とする、マルチパート安全閉鎖装置。
【請求項３】
請求項２に記載の温水ボトルのためのマルチパート安全閉鎖装置であって、
前記第２の力伝達要素（８）が導入され得る前記閉鎖部（４）の貫通領域（９０）の少なくとも一部は、少なくとも部分的に包囲する包囲壁（９２）によって区切られていることを特徴とする、マルチパート安全閉鎖装置。
【請求項４】
請求項３に記載の温水ボトルのためのマルチパート安全閉鎖装置であって、
前記包囲壁（９２）によって少なくとも部分的に囲まれた隆起部（９４）が前記閉鎖部（４）上に設置されており、
前記隆起部（９４）の壁（６０）と前記包囲壁（９２）との間の距離（Ａ）が１２ｍｍ未満であり、
前記隆起部（９４）および前記包囲壁（９２）が、好ましくは、同じ高さまたは実質的に同じ高さを有する、
および／または、
前記隆起部（９４）が、２Ｎｍ±０.１Ｎｍのトルクを水密シールのための閉鎖部（２）に導入し、５０Ｎ以上の力で突出部に力を加えて熱湯ボトルを開くために設計され、カラー（１０）を長手方向（Ｌ）に画定するカラー表面（１３）を越えて前記閉鎖部（２）の長手方向（Ｌ）にわずかに突出していない、
および／または、
前記第２の力伝達要素（８）の少なくとも一部は、前記貫通領域（９０）の前記包囲壁（９２）に結合することが可能な外壁（７９）を有し、前記包囲壁（９２）に加えて、少なくとも１つの隆起部（９４）によって少なくとも１つの壁（６０）によって境界が定められており、前記包囲壁（９２）によって画定された領域内に形成されており、特にピン状または柱状の要素であることを特徴とする、マルチパート安全閉鎖装置。
【請求項５】
請求項３または４に記載の温水ボトルのためのマルチパート安全閉鎖装置であって、
閉鎖部の下面（３００）には、前記貫通領域（９０）を包囲する前記包囲壁（９２）の少なくとも一部が、ねじ山を有する円周壁（２８）から間隔を置いて配置され、それにより、前記包囲壁（９２）とねじ山を有する前記円周壁（２８）との間に形成された複数の自由な空間（３０〜３４）が設けられている、
または、
前記包囲壁（９２）と前記円周壁（２８）との間に周方向自由空間が形成されていることを特徴とする、マルチパート安全閉鎖装置。
【請求項６】
請求項１に記載の温水ボトルのためのマルチパート安全閉鎖装置であって、
前記第１の力伝達要素（６）は、特にカラー表面（１３）を越えて前記閉鎖部（２）の長手方向（Ｌ）に突出するように突出力伝達要素（６）として形成され、前記閉鎖部の長手方向（Ｌ）にカラー（１０）を画定し、前記閉鎖部（２）の突出力伝達要素（６）は、２Ｎｍ±０.１Ｎｍのトルクが前記閉鎖部（２）に導入され、水密シール用および熱湯ボトルを開くために５０Ｎを超える力、特に７０Ｎを超える力で前記突出力伝達要素（６）に力を加えることを必要とすることを特徴とする、マルチパート安全閉鎖装置。
【請求項７】
請求項１から６のいずれか一項に記載の温水ボトルのためのマルチパート安全閉鎖装置であって、
前記温水ボトル（１４）の前記雌ねじ（１７）に前記温水ボトル（１４）を閉塞する前記閉鎖部（４）を螺合させると、前記手動作動要素（２）と前記閉鎖部（４）との間の連結を少なくとも解除することができる、
および／または、
前記閉鎖部（４）が、少なくとも部分的にかつ好ましくは完全に円周方向のカラー（１０）を有し、前記カラー（１０）が、最大ねじ込み深さおよび／または周縁シール要素（１３）を画定するための止め具を具え、前記周縁シール要素（１３）が、好ましくは湾曲した接触面を有する隆起部として形成され、前記カラー（１０）の一体部品であり、前記閉鎖部（２）の一体部品である、
および／または、
前記閉鎖部（４）および／または前記手動作動要素（２）が射出成形部品であり、ポリマー材料からなり、該ポリマー材料が少なくとも１００℃の温度安定性を有する、
および／または、
前記閉鎖部（４）が、少なくとも１２ｍｍ、特に少なくとも１６ｍｍの開口径を有する温水ボトル開口を閉鎖するように構成されている、
および／または、
操作上の接続を確立するために、前記第１の力伝達要素（６）および前記第２の力伝達要素（８）の対応する部分が互いに接触するように、前記第１の力伝達要素（６）と前記第２の力伝達要素（８）とを互いに接触させることができ、対応する部分が、少なくとも部分的に、特に大部分または完全に湾曲するように具体化されることを特徴とする、マルチパート安全閉鎖装置。
【請求項８】
請求項１から７のいずれか一項に記載の温水ボトルのためのマルチパート安全閉鎖装置であって、
前記閉鎖部（４）および前記手動作動要素（２）は、特にクランプ方式で協働し、前記第１の力伝達要素（６）と前記第２の力伝達要素（８）との協働により、前記第１の力伝達要素（６）と前記第２の力伝達要素（８）とが連結状態に保持されることを特徴とする、マルチパート安全閉鎖装置。
【請求項９】
請求項１に記載の温水ボトルのためのマルチパート安全閉鎖装置であって、
前記手動作動要素（２）と前記閉鎖部（４）との間の解放可能な配置のための少なくとも１つの閉鎖部取り付け要素（３０２）が設けられ、一方では前記第１の力伝達要素（６）に対応し他方では前記第２の力伝達要素（８）に対応するように前記閉鎖部取り付け要素（３０２）が構成され、前記手動作動要素（２）を介して導入された運動量が、前記第２の力伝達要素（８）を介して前記閉鎖部取り付け要素（３０２）に導入され、後者を介して前記閉鎖部（４）に導入されることを特徴とする、マルチパート安全閉鎖装置。
【請求項１０】
請求項１から９のいずれか一項に記載の温水ボトルのためのマルチパート安全閉鎖装置で使用するための温水ボトルの安全閉鎖装置用の手動作動要素（２）であって、
前記閉鎖部（４）を前記温水ボトル（１４）の前記雌ねじ山（１７）に締め付けたり緩めたりするのに必要な運動量を前記閉鎖部（４）に導入するための前記力伝達要素（８）を備え、前記力伝達要素（８）は、動作可能な接続部を形成することによって前記閉鎖部（４）に結合することができることを特徴とする、温水ボトルの安全閉鎖装置用の手動作動要素。
【請求項１１】
請求項１から９のいずれか一項に記載の温水ボトルのためのマルチパート安全閉鎖装置で使用するための温水ボトル用の安全閉鎖装置用の閉鎖部（４）であって、
前記温水ボトルの雌ねじに螺合させるための前記雄ねじ（１２）と、前記閉鎖部（４）を前記温水ボトル（１４）の内部ねじ山にねじ込むための運動量を伝達するための前記第１の力伝達要素（６）を有し、前記温水ボトル（１４）を水密的にシールするとともに前記温水ボトル（１４）の前記内部ねじ山（１７）から前記閉鎖部（４）を外し、前記力伝達要素は、作動可能な接続部を形成することによって温水ボトルの安全閉鎖のための前記手動作動要素（２）に結合されてもよく、
前記力伝達要素（６）は、少なくとも部分的に、特に大部分または完全に湾曲するように構成されていることを特徴とする、温水ボトル用の安全閉鎖装置用の閉鎖部。
【請求項１２】
請求項１１に記載の温水ボトル用の安全閉鎖装置の閉鎖部（４）と解放可能に連結するための温水ボトルの安全閉鎖装置用の閉鎖部取付要素（３０２）であって、
少なくとも、
前記温水ボトルの安全閉鎖装置の前記閉鎖部（４）に配置するための前記位置決め要素（３０４）または複数の位置決め要素と、
好ましくは機能領域（３０８）を形成し、前記機能領域（３０８）が好ましくは温水ボトル用の前記安全閉鎖装置の前記閉鎖部（４）の前記力伝達要素（６）と少なくとも部分的に重なり合うように形成される少なくとも１つの機能的手段（３０６）と、を含み、
前記位置決め手段（３０４）が、第１の面（３１０）または前記機能的手段（３０６）の第１の面に配置され、または複数の前記位置決め要素が前記第１の面（３１０）または前記機能的手段（３０６）の第１の面に配置されることを特徴とする、温水ボトルの安全閉鎖装置用の閉鎖部取付要素。
【請求項１３】
少なくとも、請求項１０に記載の安全閉鎖用温水ボトル用の手動作動要素（２）と、請求項１１に記載の安全閉鎖用温水ボトル用の閉鎖部分（４）と、好ましくは、請求項１２に記載の安全閉鎖用温水ボトルと、
前記温水ボトル（１１）のための安全閉鎖部に連結するために、充填開口部および充填開口部の領域に配置されたスレッド（１７）を有する少なくとも１つの温水ボトル（１４）と、
好ましくは前記温水ボトル（１４）の周囲に配置された温水ボトルカバーと、
を含むキット。
【請求項１４】
少なくとも、
少なくとも部分的にポリマー材料で構成され、受容領域（２０２）を画定する包装（２００）と、
請求項１０に記載の温水ボトルの安全閉鎖のための手動作動要素（２）と、を含み、
上記が前記受容領域（２０２）内の前記包装（２００）によって少なくとも液密的に封入されており、
および／または、
請求項１１に記載の温水ボトルの安全閉鎖用の閉鎖部（４）および／または請求項１２に記載の温水ボトルの安全閉鎖用の閉鎖部取り付け要素（３０２）と、または請求項１３に記載のキットと、を含み、
上記が受容領域（２０２）内の包装（２００）によって少なくとも液密的に封入されており、
前記パッケージング（２００）によって区切られた受容領域（２０２）全体が滅菌されており、特に無菌であることを特徴とする、ロット。
【請求項１５】
請求項１０に記載の温水ボトルの安全閉鎖のための手動作動要素（２）および／または請求項１１に記載の温水ボトルの安全閉鎖のための閉鎖部分（４）または請求項１から９のいずれか一項に記載の温水ボトルのための多部品安全閉鎖具または請求項１２に記載の閉鎖部品取り付け要素を製造するための製造方法であって、少なくとも以下のステップを含む製造方法；
前記温水ボトルの安全閉鎖装置のための前記閉鎖部（４）および／または前記温水ボトルの安全閉鎖装置のための前記手動作動要素（２）またはマルチパート安全閉鎖温水ボトル（１）または閉鎖部取り付け要素（３０２）用のフォームデータを提供するステップと、
前記温水ボトルの安全閉鎖装置のための前記閉鎖部（４）および／または前記温水ボトルの安全閉鎖装置のための前記手動作動要素（２）または前記マルチパート安全閉鎖温水ボトル（１）または前記閉鎖部取り付け要素（３０２）用の前記フォームデータを、３Ｄプリンタを制御するための制御装置にアップロードして印刷するステップ。
【請求項１６】
請求項１５に記載の製造方法を実行するためのコンピュータプログラム製品であって、
請求項１０に記載の温水ボトルおよび／または温水ボトルの安全閉鎖のための閉鎖部（４）の安全閉鎖のための手動作動要素（２）、請求項１〜９のいずれか一項に記載の温水ボトル（１）および／または温水ボトル用の安全閉鎖用の閉鎖部品取り付け要素（３０２）のための複数部品安全閉鎖装置、請求項１２に記載の製造方法において、
デジタル記述を使用して３Ｄプリンタを制御することができることを特徴とする、コンピュータプログラム製品。
【発明の詳細な説明】
【技術分野】
【０００１】
請求項１および２によれば、本発明は、温水ボトルのための安全閉鎖装置に関するものであり、請求項１２によれば、温水ボトルの安全閉鎖部に使用するための閉鎖部品に関するものであり、請求項１１によれば、温水ボトルの安全閉鎖に使用するための手動作動要素に関するものであり、請求項１３によれば、温水ボトル用の安全閉鎖部を有する温水ボトルに関するものであり、請求項１４によれば、そのコンピュータプログラム製品に関するものであり、請求項１５によれば、その製造方法に関するものである。
【背景技術】
【０００２】
プラスチックまたはゴムからなる最初の温水ボトルが、１９２０年代から存在している(http://de.wikipedia.org/wiki/W%C3%A4rmflasche#Geschichte)。それ以来、製品としての温水ボトルは、ほとんどあらゆる家庭が１つは持っているほど広範囲にわたるようになった。
【０００３】
温水ボトルの普及率は、非常に多種多様な用途に適していることや、非常に多数の人々の豊かさを表していると説明することができる。例えば、温水ボトル（湯たんぽ）は、特に病気のときや、または緊張した時に生じる身体の不快感や局所的な低温状態などの場合に使用される。さらに、温水ボトルによって提供される熱は、しばしば落ち着かせる効果を有する。
【０００４】
ほとんどの温水ボトルには、沸騰水を加えてはならないと指摘している英国標準ＢＳ１９７０：２０１２の声明があるが、原則として、熱湯ボトルは沸騰した非常に熱い水で満たされている。熱い、特に沸騰した水は、ヒトまたは動物の皮膚と接触して重度のただれを引き起こし、恒久的な損傷を引き起こす可能性がある。温水ボトルが意図せずに開いてしまった場合、そこに貯蔵された水が漏れ出してしまい、その結果ヒトまたは動物の皮膚をただれさせる可能性がある。
【０００５】
温水ボトルは非常に洗練された大量生産品で、毎年何百万もが販売されており、熱いボトルを改善するために重要な資源がすでに使用され、使用されていると結論づけることができる。
【０００６】
さらに、既に非常に多くの工業所有権が公表されており、これはオブジェクトとしての温水ボトルの集中的な議論を反映している。例えば、特許文献１および特許文献２は、閉じた温水ボトルをより容易に開封するための装置を開示しており、これにより、更なる装置が温水ボトルの蓋の上に配置される。これにより、更なる装置はレバー要素を表し、このレバー要素によって、閉鎖装置に作用するレバーアームの延長部が形成され、これにより、上昇するレバーアームを有するレバーアーム延長部によって、温水ボトルを開くために必要な力が減少する。特許文献２では、温水ボトルが冷えるにつれて、温水ボトルの閉鎖を開くのに必要な力が増加するとの意見が示されている。しかし、これはまた、直前まで湯が詰まっていて僅かしか冷却されていない温水ボトルが容易に開いてしまうことを意味する。原則として、特許文献１および特許文献２は、共通閉鎖装置の使用について開示している。使用済みの閉鎖装置は標準的な閉鎖装置であるという事実により、子供または認知症の人は誤って温水ボトルを開けることができず、閉鎖装置上に配置された手動接触のための要素に力を加えることによって、熱水で満たされる。特許文献３〜特許文献２４は、温水ボトルのための閉鎖装置をさらに開示しており、これにより、温水ボトルの使用における安全性または快適性が高められる。
【０００７】
それにもかかわらず、上述の主題のいずれも、温水ボトルの使用によって引き起こされる火傷を軽減する解決策を提供することができなかった。温水ボトルの使用に関しては、熱傷を負った子供のためのイニシアチブ（www.paulinchen.de）のホームページから収集することができる：お湯を５０℃以下の水で満たし、よく閉じること（２０１４年１２月１８日にダウンロードされたhttp://www.paulinchen.de/fileadmin.content/2012_Downdloads/Gefahren-in_Kueche_und_Bad.pdfを参照）。よく知られているように、しっかり締めることは、通常大きな力を用いて締めることとして理解される。しかし、遊んでいる子供や認知症の人は、意図せずに、あるいは偶然にそのような閉鎖を解くことができ、閉鎖装置を外すことができ、温水ボトルから熱湯を逃がすことができる。１６ｍｍより大きい、特に１８ｍｍより大きい大開口直径のために、温水ボトルに充填される水は、温水ボトルから非常に迅速に逃げることができ、これにより、温水ボトルを使用する人の重要な身体表面部分が、それぞれ非常に迅速に負傷またはただれ状態になる可能性がある。
【０００８】
手動接触のために部材がますます大きくなる傾向が見られる。それにより手動接触のための部材のサイズが大きくなることにより、温水ボトルの水密閉鎖および温水ボトルの低圧開放を可能にする。手動で温水ボトルに接触するための部材は、３ｃｍ以上、または４ｃｍ以上、または４．５ｃｍ以上の幅を有する。
【０００９】
温水ボトルは子供や認知症の人にも渡されるため、お湯を入れたばかりの温水ボトルをこれらの人が開け、あふれ出たお湯によって火傷をする危険性がある。特に認知症に罹患している人は、しばしば大きな力をかけたり、温水ボトルの閉鎖機能を覚えたりして、それを作動させてしまうことがある。
【先行技術文献】
【特許文献】
【００１０】
【特許文献１】英国特許公開公報ＧＢ２３０７３１Ａ
【特許文献２】欧州特許公開公報ＥＰ０９６０６０８Ａ２
【特許文献３】ドイツ連邦共和国特許公報ＤＥ１９９００１９７Ｃ２
【特許文献４】ドイツ連邦共和国実用新案公報ＤＥ１９０６６３４Ｕ
【特許文献５】ドイツ連邦共和国実用新案公報ＤＥ１８４２００６Ｕ
【特許文献６】ドイツ連邦共和国実用新案公報ＤＥ１６４５０５７Ｕ
【特許文献７】ドイツ連邦共和国実用新案公報ＤＥ１６３８８２０Ｕ
【特許文献８】ドイツ連邦共和国特許公開公報ＤＥ６１２１５６９Ａ
【特許文献９】ドイツ連邦共和国特許公開公報ＤＥ５５２５９１Ａ
【特許文献１０】ドイツ連邦共和国特許公開公報ＤＥ５５２９３０Ａ
【特許文献１１】ドイツ連邦共和国特許公開公報ＤＥ４８７４０４Ａ
【特許文献１２】英国特許公報ＧＢ１５７１７３
【特許文献１３】国際公開公報ＷＯ２０１２／１３６５３５Ａ１
【特許文献１４】英国特許公報ＧＢ４９６４５２
【特許文献１５】英国特許公報ＧＢ１０５７３５
【特許文献１６】英国特許公報ＧＢ１６０７１２
【特許文献１７】英国特許公報ＧＢ２２５９１５
【特許文献１８】英国特許公報ＧＢ２２７３４５
【特許文献１９】英国特許公報ＧＢ２４５９６８
【特許文献２０】英国特許公報ＧＢ２４６７６４
【特許文献２１】英国特許公報ＧＢ３０４９０３
【特許文献２２】英国特許公報ＧＢ６０４３４１
【特許文献２３】英国特許公報ＧＢ３８５８２２
【特許文献２４】英国特許公報ＧＢ１０９４３６４
【発明の概要】
【発明が解決しようとする課題】
【００１１】
従って、本発明の目的は、温水ボトルのための安全閉鎖装置を提供することであり、上記の問題を解決するか、またはそれぞれ既知の閉鎖装置に対して有効な代替案を提供するものである。
【課題を解決するための手段】
【００１２】
上記の目的は、本発明によれば、温水ボトルのためのマルチパート安全閉鎖装置によって解決され、請求項１に記載の第三者による温水ボトルの不適切な開放を防止するための装置を提供するものである。温水ボトルの安全閉鎖装置は、温水ボトルの内部ねじ山にねじ込むための外部ねじ山を有する少なくとも１つの閉鎖部を含み、温水ボトルを水密的に密封するため、および閉鎖部分を温水ボトルの内ねじから外すために使用される閉鎖部を温水ボトルの内部ネジ山にねじ込むための運動量を伝達するための第１の力伝達要素を有し、温水ボトルの内部ねじ山の中へおよびそこから閉鎖部品をねじ止めするのに必要な運動量を導入するための第２力伝達要素を有する手動作動要素とを備え、前記第１の力伝達要素および前記第２の力伝達要素は、互いに対応してまたは表裏に配置され、閉鎖部および手動作動要素が、作動可能な連結部を形成することによって互いに解放可能に連結され得るように、特に、摩擦接続および／または正の接続および／または磁気接続されている。
【００１３】
代替案では、本発明による解決策は、第三者による温水ボトルの不適切な開放を防止するための温水ボトルのためのマルチパート安全閉鎖装置によって説明され、温水ボトルの水密シールのための閉鎖部が設計され、さらに別の手動作動要素が閉鎖部を温水ボトルにねじ込むために閉鎖部に解放可能に結合されることができるように設計され、温水ボトル用の閉鎖部を開封し、水密シールするために必要なトルクを手動で導入するために手動作動要素のみが正の接続領域、特にレバーを有するものである。
【００１４】
本発明による温水ボトルの安全閉鎖部は、それによって閉じられた温水ボトルを子供や認知症患者など、制御されていない開口部の危険性を予見できない人々のグループにも渡すことができる。したがって、本発明による温水ボトルのための安全閉鎖部の複数部分の実施形態は、開閉に必要な手動作動要素をこれらの人がアクセスできない場所に保管することができるものである。閉鎖部はまた、遊んで誤って取り外すこともできず、なぜなら、第１の力伝達要素に相当する要素なしでは、正確な閉鎖の場合に必要とされる力の適用を開放することができないからである。
【００１５】
さらに好ましい実施形態は、従属請求項および以下の説明の主題である。
【００１６】
少なくとも１．３Ｎｍの、好ましくは少なくとも１．４Ｎｍの、または少なくとも１．５Ｎｍの、または少なくとも１．６Ｎｍの、または少なくとも１．７Ｎｍの、または少なくとも１．８Ｎｍの、または少なくとも１．９Ｎｍの、または２Ｎｍ±０．１Ｎｍのトルク、また好ましくは最大２．５Ｎｍの、または最大２．６Ｎｍの、または最大２．７Ｎｍの、または最大２．８Ｎｍの、または最大２．９Ｎｍの、または最大３Ｎｍの、または最大３．５Ｎｍの、または最大４Ｎｍのトルクが温水ボトルの水密シールまたは温水ボトルへのねじ込みのために閉鎖部に適用されることが好ましい。
【００１７】
本発明のさらに好ましい実施形態によれば、第１の力伝達要素は、内部力伝達要素として具体化され、周囲の壁部分によって具体化され、第２の力伝達要素は、内部力伝達要素または閉鎖部の貫通領域を少なくとも部分的に貫通するように構成され、それぞれまたは第１の力伝達要素は、フラットな力伝達要素として具体化され、特にフックアンドループファスナを有する。
【００１８】
本発明のさらに好ましい実施形態によれば、第１の力伝達要素は、突出力伝達要素として具体化され、突出力伝達要素は最大で３ｃｍ突出することが好ましく、特に最大で２．９ｃｍの、または２．８ｃｍの、または２．７ｃｍの、または２．６ｃｍの、または２．５ｃｍの、または２．４ｃｍの、または２．３ｃｍの、または２．２ｃｍの、または２．１ｃｍの、または２．０ｃｍの、または１．９ｃｍの、または１．８ｃｍの、または１．７ｃｍの、または１．６ｃｍの、または１．５ｃｍの、または１．４ｃｍの、または１．３ｃｍの、または１．２ｃｍの、または１．１ｃｍの、または１．０ｃｍの、または０．９ｃｍの、または０．８ｃｍの、または０．７ｃｍの、または０．６ｃｍの、または０．５ｃｍのスレッドの隣接端を越えており、および／または好ましくは２．９ｃｍの最大幅を有しており、特に２．８ｃｍの、または２．７ｃｍの、または２．６ｃｍの、または２．５ｃｍの、または２．４ｃｍの、または２．３ｃｍの、または２．２ｃｍの、または２．１ｃｍの、または２．０ｃｍの、または１．９ｃｍの、または１．８ｃｍの、または１．７ｃｍの、または１．６ｃｍの、または１．５ｃｍの、または１．４ｃｍの、または１．３ｃｍの、または１．２ｃｍの、または１．１ｃｍの、または１．０ｃｍの、または０．９ｃｍの、または０．８ｃｍの、または０．７ｃｍの最大幅であることが好ましい。
【００１９】
特に好ましくは、第１の力伝達要素は、突出力伝達要素として具体化され、温水ボトルを開閉するためのトルクを導入するためのレバーアームが突出力伝達要素によって具現化され、前記レバーアームは、前記手動作動要素によって具現化されるレバーアームよりも短く、温水ボトルを開閉するためのトルクを導入するためのものである。この実施形態は、手動作動要素なしで温水ボトルの手動開放を提供しない形状がいずれの場合にも提供されるので、有利である。手動作動要素のレバーアームは、好ましくは数回、特に少なくとも２回、または少なくとも３回、または少なくとも４回、または少なくとも５回、または少なくとも６回、または少なくとも７回、または少なくとも８回、または少なくとも９回、または少なくとも１０回、または少なくとも１１回、または少なくとも１２回、または少なくとも１５回、または少なくとも２０回以上、閉鎖部分のレバーアームよりも大きいことが好ましい。特に好ましくは、突出力伝達要素は、１つまたは複数のレバーアームを有し、レバーアームまたは各レバーアームの最大長さは２ｃｍであり、特に１．９ｃｍの、または１．８ｃｍの、または１．７ｃｍの、または１．６ｃｍの、または１．５ｃｍの、または１．４ｃｍの、または１．３ｃｍの、または１．２ｃｍの、または１．１ｃｍの、または１．０ｃｍの、または０．９ｃｍの、または０．８ｃｍの、または０．７ｃｍの、または０．５ｃｍの、または０．４ｃｍの最大長さでもあり得る。
【００２０】
本発明のさらに好ましい実施形態によれば、手動作動要素と閉鎖部との間の結合は、温水ボトルを閉じるための閉鎖部が温水ボトルの内ねじにねじ込まれるときに、少なくとも解放されるか、好ましくは解放されるだけである。手動作動要素および閉鎖部は、非結合状態で、それぞれ自由にまたは任意に互いに動かすことができる。
【００２１】
本発明のさらに好ましい実施形態によれば、閉鎖部分は、少なくとも部分的にかつ好ましくは完全に円周状のカラーを有し、前記カラーは、最大ねじ込み深さを制限するための止め具としておよび／またはシール要素として機能する。好ましくは、シールは、カラー内にまたはカラー上に配置されまたは組み込まれる。好ましくは、シール要素は円周シール要素として形成され、円周方向シール要素は、好ましくは湾曲した接触面を有する隆起部として具体化され、特に好ましくはカラーのワンピース部であり、したがって閉鎖部のワンピース部である。
【００２２】
本発明のさらに好ましい実施形態によれば、閉鎖部品および／または手動作動要素は射出成形部品であり、好ましくはポリマー材料からなり、前記ポリマー材料は、少なくとも１００℃の温度安定性を有するもので、好ましくは少なくとも１２０℃、または少なくとも１５０℃（好ましくは２００℃以下、または３００℃以下、または５００℃以下、または８００℃以下）である。
【００２３】
本発明のさらに好ましい実施形態によれば、閉鎖部分は、温水ボトル開口部を閉じるために具現化され、少なくとも１６ｍｍの開口径を有するもので、または少なくとも１７ｍｍの、または少なくとも１８ｍｍの、または少なくとも１９ｍｍの、または少なくとも２０ｍｍ（好ましくは３０ｍｍまで、または４０ｍｍまで、または５０ｍｍまで）の開口径である。
【００２４】
本発明はさらに、請求項１に記載の温水ボトルの安全閉鎖装置において使用するための手動作動要素に関する。それによって、手動作動要素は、好ましくは、閉鎖部を温水ボトルの内部ねじ山の中にねじ込みおよびねじ止めするのに必要な運動量を導入するための少なくとも１つの力伝達要素を含む。
【００２５】
本発明はさらに、請求項１に記載の温水ボトルの安全閉鎖装置に使用するための閉鎖部に関する。前記閉鎖部は、好ましくは、温水ボトルの内部ねじ山にねじ込むための少なくとも１つの外部ねじ山、および熱湯ボトルの水密シールのために閉鎖部を温水ボトルの内部ねじ溝にねじ込み、閉鎖部品を温水ボトルの内ねじからねじ止めするための運動量を伝達するための力伝達要素を備える。
【００２６】
本発明のさらに好ましい実施形態によれば、第２の力伝達要素が導入され得る閉鎖部の貫通領域の少なくとも一部は、少なくとも部分的に、好ましくは、大部分、特に好ましくは貫通領域を完全に取り囲む壁によって画定されている。第２の力伝達要素の少なくとも一部分は、好ましくは外壁を有し、それは貫通領域の包囲壁に結合することができる。それによって結合することができることは、好ましくは、接触することができることを意味し、特に伝達力に接触することができることを意味する。包囲壁に加えて、浸透領域は、少なくとも１つの隆起部によって少なくとも１つの外壁によって区切られていることが好ましく、それは包囲壁、特にピン状または柱状要素によって画定された領域に具体化される。このようにして、隆起部は、好ましくは、少なくとも部分的に、好ましくは大部分、特に好ましくは包囲壁によって完全に取り囲まれているかまたは包囲されている領域に配置される。
【００２７】
本発明のさらに好ましい実施形態によれば、力伝達要素は、内部力伝達要素として具体化され、好ましくは、周囲壁部分によって完全にまたは部分的に実施されるか、または力伝達要素は、平坦力伝達要素として実施され、それは、特に好ましくは、フックアンドループファスナを有するか、または力伝達要素が、突出力伝達要素として具体化され、前記突出力伝達要素が最大３ｃｍ突出しており、特に最大で２．９ｃｍの、または２．８ｃｍの、または２．７ｃｍの、または２．６ｃｍの、または２．５ｃｍの、または２．４ｃｍの、または２．３ｃｍの、または２．２ｃｍの、または２．１ｃｍの、または２．０ｃｍの、または１．９ｃｍの、または１．８ｃｍの、または１．７ｃｍの、または１．６ｃｍの、または１．５ｃｍの、または１．４ｃｍの、または１．３ｃｍの、または１．２ｃｍの、または１．１ｃｍの、または１．０ｃｍの、または０．９ｃｍの、または０．８ｃｍの、または０．７ｃｍの、または０．６ｃｍの、または０．５ｃｍのスレッドの隣接端を越えており、および／または２．０ｃｍの最大幅を有し、特に１．９ｃｍの、または１．８ｃｍの、または１．７ｃｍの、または１．６ｃｍの、または１．５ｃｍの、または１．４ｃｍの、または１．３ｃｍの、または１．２ｃｍの、または１．１ｃｍの、または１．０ｃｍの、または０．９ｃｍの、または０．８ｃｍの、または０．７ｃｍの最大幅であることが好ましい。
【００２８】
本発明のさらに好ましい実施形態によれば、第１の力伝達要素と第２の力伝達要素は、対応するように設計され、作動連結を確立するために、第１の力伝達要素と第２の力伝達要素の対応する部分が第２の力伝達要素に入るように、第１の力伝達要素と第２の力伝達要素を互いに接触させることができ、対応する部分は、少なくとも部分的に、特に大部分が領域によってまたは完全に湾曲するように具体化されている。この解決策は特に有効であり、なぜなら対応する力伝達要素なしでは、閉鎖部分は、手動で、またはさらなる助けを借りなければ移動が非常に困難になるからで、温水ボトルを封印状態にし、丸い表面のために温水ボトルを密封しない。
【００２９】
本発明のさらに好ましい実施形態によれば、突出したまたはピン状の力伝達要素は、特に、カラー表面を越えて閉鎖部の長手方向に突出しており、閉鎖部は、２Ｎｍ±０．１Ｎｍのトルクを水密シール用の閉鎖部に導入すると共に、温水ボトルを開くためには、５０Ｎを超える力で突出力伝達要素に力を加えることが必要なように設計され、特に５５Ｎ超、または６０Ｎ超、または６５Ｎ超、または６０Ｎ超、または６５Ｎ超、または７０Ｎ超、または７５Ｎ超、または８０Ｎ超、または８５Ｎ超、または９０Ｎ超、または９５Ｎ超、または１００Ｎ超、または１０５Ｎ超、または１１０Ｎ超、または１１５Ｎ超、または１２０Ｎ超、または１２５Ｎ超、または１３０Ｎ超、または１４０Ｎ超、または１５０Ｎ超、または１６０Ｎ超、または１７０Ｎ超、または１８０Ｎ超、または１９０Ｎ超、または２００Ｎ超、または２１０Ｎ超、または２２０Ｎ超、または２３０Ｎ超、または２４０Ｎ超、または２５０Ｎ超、または２６０Ｎ超、または２７０Ｎ超、または２８０Ｎ超、または２９０Ｎ超、または３００Ｎ超、または３１０Ｎ超、または３２０Ｎ超、または３３０Ｎ超、または３４０Ｎ超、または３５０Ｎ超である。この解決策は特に有効であり、なぜなら閉鎖要素は、特に、対象グループに依存したやり方で、対象グループの個々の人によって適用することができ、温水ボトルを開けるときよりも小さい力で、それは本発明による温水ボトルのための安全閉鎖装置によって閉じられる。突出力伝達手段を介して閉鎖部に導入されるべき力が、この目標グループの人の特に児童および認知症患者の９０％以上、特に９９％以上は開くことができないほど大きくなるようにされる。
【００３０】
本発明はさらに、請求項１に記載の温水ボトルのためのマルチパート安全閉鎖装置に関し、または請求項１０に記載の少なくとも１つの手動作動要素に関し、さらに少なくとも１つの温水ボトル閉鎖部１１と、好ましくは請求項１２に記載の閉鎖部取り付け要素を有し、充填開口部と、温水ボトルのための安全閉鎖部に結合するために充填開口部の領域に配置されるねじ山と、好ましくは、温水ボトルの周囲に配置することができ、好ましくは、温水ボトルを少なくとも部分的に断熱するため、または温水ボトルからユーザへの熱伝達を少なくとも部分的に低減するために使用されるカバーを有する。
【００３１】
本発明はさらに、コンピュータプログラム製品に関し、請求項１０に記載の手動作動要素の形態のデジタル記述を含み、および／または請求項１１に記載の閉鎖部、または請求項１に記載の温水ボトル用安全閉鎖装置を含み、また前記デジタル記述を使用して、請求項１２に記載の３Ｄプリンタ、または閉鎖部品取り付け要素を制御することができるものである。
【００３２】
本発明は、さらに、請求項１０に記載の手動作動要素を製造するための製造方法に関し、および／または請求項１１に記載の閉鎖部、または請求項１に記載の温水ボトル用安全閉鎖装置に関し、および／または請求項１２に記載の閉鎖部取り付け要素に関する。上記製造方法は、少なくとも以下の工程を含むことが好ましい：温水ボトル用の閉鎖部および／または手動の作動要素または安全閉鎖装置の形状データを提供するステップと、フォームデータを３Ｄプリンタを制御するための制御装置にアップロードするステップと、閉鎖部および／または手動作動要素または温水ボトル用安全閉鎖装置をプリントするステップとを含む。
【００３３】
本発明はさらに、温水ボトルのためのマルチパート安全閉鎖装置に関し、好ましくは少なくとも以下を含む：
閉鎖部は、温水ボトルの雌ねじにねじ込むための雄ねじを有し、温水ボトルを水密に密封するため、および閉鎖部を温水ボトルの内ねじから外すために、温水ボトルの雌ねじに閉鎖部をねじ込むための運動量を伝達するための第１の力伝達要素を有し、手動作動要素は、閉鎖部を温水ボトルの雌ねじ山に締めたり緩めたりするために必要な運動量を導入するために、第２の力伝達要素を有し、少なくとも１つの閉鎖部品取り付け要素と、特に手動操作要素と閉鎖部との間の解放可能な構成のために中間部材またはアダプタが設けられており、一方では前記第１の力伝達要素に対応し他方では第２の力伝達要素に対応するように前記閉鎖部取り付け要素が構成され、手動作動要素を介して導入された運動量は、第２の力伝達要素を介して閉鎖部分取付要素に導入され、閉鎖要素取付要素を介して閉鎖部分に導入され得る。
【００３４】
本発明のさらに好ましい実施形態によれば、閉鎖部と手動作動要素が特にクランプ方式で協働するものであり、第１の力伝達要素と第２の力伝達要素との協働により、第１の力伝達要素と第２の力伝達要素が連結状態に保持される。この実施形態は有効であり、なぜならクランプが手動操作要素と閉鎖部との間の接続部を形成することができ、これにより、閉鎖部は、それがネジから外されたときに手動作動要素上に残るためである。言うまでもなく、閉鎖部は、依然として手動作動要素から取り外すことができ、実施形態のために温水ボトルをより容易に開くことができ、温水ボトルの安全閉鎖部を連結アセンブリとして格納することができる。少なくとも部分的には、閉鎖部分の貫通領域は、好ましくは、手動作動要素の第２の力伝達要素と同じくらい広くはないように設計され、プレスまたはクランプがそれぞれ貫通領域から貫通領域に侵入し、第２の力伝達要素を貫通領域に導入することに対応して形成することができる。
【００３５】
本発明のさらに好ましい実施形態によれば、第２の力伝達要素の少なくとも一部は外壁を有し、これは、貫通領域の包囲壁に結合することができ、包囲壁に加えて、貫通領域は、好ましくは、少なくとも１つの隆起物による少なくとも１つの外壁によって囲まれており、特にピン状または柱状の要素であり、包囲壁によって画定された領域内に具現化されている。したがって、貫通領域は、溝のようなデザインが好ましい。これに加えてまたは代替的に、貫通領域は、相互に離間され、例えば盲穴状の設計を有することができる複数の部分的な貫通領域として具体化されることが可能である。さらに、貫通領域の部分がトレンチ状に形成され、部分が部分的な貫通領域または複数の部分的な貫通領域によって具体化されることも可能である。閉鎖部の部分的な力伝達要素は、壁によって形成されることが好ましく、それによって、貫通領域および／または部分的な貫通領域が画定される。
【００３６】
本発明はさらに、本発明による温水ボトル用の安全閉鎖部の温水ボトル閉鎖部との解放可能な、特に正の摩擦または磁場の結合のための閉鎖部取り付け要素に関する。これにより、閉鎖部取付要素は、好ましくは、温水ボトル閉鎖部に配置するための少なくとも１つの位置決め要素または複数の位置決め要素を備える。閉鎖部品取り付け要素は、好ましくは、少なくとも１つの機能的手段をさらに有し、機能的手段は機能領域を形成することが好ましく、機能領域は温水ボトル閉鎖部の力伝達要素に少なくとも部分的に重なり合うように形成されていることが好ましい。位置決め要素（単数）は、好ましくは、第１の側面または機能的手段の第１の側面に配置または具現化されるか、または位置決め要素（複数）は、第１の側面または機能的手段の第１の側面に配置または具現化される。閉鎖部取り付け要素が温水ボトルの閉鎖部に結合された状態で、機能的手段は、好ましくは、第１の側とは異なる第２の側で目に見えるか触れるかまたは接近可能である。閉鎖部取り付け要素が温水ボトルの閉鎖部に結合されている状態では、機能的手段の第１の側面は、好ましくは、少なくとも部分的に目に見えないか、触れないか、または接近不能であるか、または覆われている。機能的手段は、ここでは電子手段として、特にセンサ手段として実施することができ、または１つまたは複数のセンサ手段を有することができる。好ましくは、センサ手段は、それぞれ温度センサおよび／または輝度センサまたは光センサである。それに加えてまたは代替的に、機能的手段は、１つまたは複数の機能的装置を結合するための結合装置、例えばセンサ手段または光源、特にＬＥＤ光源として具体化することができる。機能的手段が結合装置として具体化されるならば、正の磁場、積分および／または摩擦結合のために実施され得る。解放可能なまたは永久的な結合のために結合装置を具現化することがさらに可能である。機能的手段は、結合手段としての結合面を有し、これを介して例えば電子的手段などの他の装置を機能的手段上に配置することができる。閉鎖部取り付け要素は、電子手段を動作させるための電気エネルギーを供給するためのバッテリをさらに有することができる。それに加えて、またはこれに代えて、電子手段は、１つまたは複数のさらなるデバイス、特に、１つまたは複数のプロセッサデバイス、例えば、１つまたは複数のスマートフォンと通信するための通信デバイス、特に無線インターフェース、特にＢＬｕｅｔｏｏｔｈインターフェースのようなデータ送信手段を有することができる。電子手段は、好ましくは、少なくとも部分的に、好ましくは、クロージャー部分取付要素の構造内に完全に埋め込まれており、特に大部分が質量または容積の点で閉鎖部品取り付け要素を形成する材料によって囲まれていることが好ましい。代替案では、電子手段は、位置決め要素（単数）または位置決め要素（複数）も形成する閉鎖部品取り付け要素の構造に埋め込まれることが可能である。
【００３７】
閉鎖部取り付け要素は、さらに、蓋またはカバーとして具体化することができる。それが蓋またはカバーとして具体化されるとき、閉鎖部取り付け要素は、好ましくは温水ボトル閉鎖部を熱的に絶縁する働きをする。
【００３８】
本発明のさらに好ましい実施形態によれば、閉鎖部取り付け要素は、手動作動要素と閉鎖部との間の解放可能な配置のために提供されることができ、一方では第１の力伝達要素に対応し、他方では第２の力伝達要素に対応するように、閉鎖部取り付け要素が具現化されることが好ましく、手動作動要素を介して導入された運動量は、第２力伝達要素を介して閉鎖部分取付要素に導入され、閉鎖要素取付要素を介して閉鎖部分に導入され得る。
【００３９】
本発明は、さらにロットに関する。前記ロットは、好ましくは、少なくとも１つのパッケージングを含み、特に、少なくとも部分的に、受容領域を画定するポリマー材料からなり、さらに受け入れ領域内のパッケージによって少なくとも液密的に封入されている請求項１０に記載の手動作動要素と、および／または請求項１１に記載の温水ボトル閉鎖部と、および／または請求項１２に記載の閉鎖部取り付け要素と、または収容領域内の包装によって少なくとも液密的に包囲されており、包装によって画定された収容領域全体が滅菌されており、特に滅菌されている請求項１３に記載のキットを備える。
【００４０】
本発明の文脈において、「無菌」という用語は、好ましくは、ＥＮ  ５５６−１およびＥＮ  ５５２の基準に従って理解されるべきであり、その使用は、好ましくは実験室用製品に関するものであり、特に好ましくは医療用製品に関するものである。参考までに、ＥＮ  ５５６−１およびＥＮ  ５５２の基準は、文書全体の主題であると宣言されている。バイオマスの減少および／または不活性化に影響を及ぼす処理によって到達されるすべての状態は、特に活性なＤＮＡまたは活性なＤＮＡ断片または病原体および／または微生物、特に生物学的に活性な細菌および／または生物学的に活性なウイルスおよび／または生物学的に活性な胞子は、好ましくは、胚芽減少したものとして理解される。したがって、生殖減量という用語は、保証レベルＳＡＬ２または少なくとも保証レベルＳＡＬ２、特にＳＡＬ３または少なくともＳＡＬ３またはＳＡＬ４または少なくともＳＡＬ４またはＳＡＬ５に対応する状態を表すことが好ましい。したがって、本発明の文脈において、「滅菌」という用語は、保証レベルＳＡＬ６以上に対応する状態を表すことが好ましい。
【００４１】
本発明の好ましい実施形態によれば、放射線源によって生成された少なくとも１つのビーム、特に電子ビームまたはガンマ線またはＵＶ光ビーム、特に電子加速器をロットに適用し、物体を導入した後および包装を密封した後に、少なくとも滅菌のために、特に、電子加速器を、ロット、特にその中に配置された物体を有する受容領域に用いられる。パッケージは非破壊的に開封することができないことが好ましい。
【００４２】
それに加えて、またはその代わりに、パッケージングおよびその中に置かれた物体または配置されているかまたは配置される物体にガスを適用することによって微生物の減少、特に滅菌が行われることが可能である。ガスの適用は、機能的なガスの適用、特にエチレンオキシド／ＥｔＯの適用が好ましい。特に好ましくは、包装は物体または物品を既に装備しており、ガスの適用に応じて密閉されており、包装は好ましくはそれぞれの機能性ガスに対して透過性であることである。
【００４３】
梱包材および／または包装材の特性は、ＤＩＮ  ＥＮ  ＩＳＯ  １１６０７−１および１１６０７−２またはＤＩＮ  ＥＮ  ８６８規格に規定されていることが好ましい。これらの規格は、参考として本明細書全体の主題とする。
【００４４】
否定的なまたは対応する設計は、好ましくは、「キーおよびロック」または「プラグおよびプラグを受け入れるためのソケット」の観点から実施形態を識別する。
【００４５】
以下に記載される図の個々のまたは全ての図は、好ましくは、設計図、即ち図または図形から生じる寸法、比率、機能的文脈および／または配置であると考えられるべきであり、好ましくは、それぞれ本発明による装置または本発明による製品に、正確に、または好ましくは実質的に相当するとみなされるべきである。
【００４６】
本発明のさらなる利点、目的および特徴は、以下の説明に添付される図面によって説明され、本発明による温水ボトルの安全閉鎖およびその構成要素が例示的な方法で示される。本発明による装置の要素は、それらの機能に関して図面において少なくとも実質的に対応するものであり、同じ参照番号で識別することができ、これらの構成要素または要素のそれぞれは、すべての図において番号を付ける必要も、説明する必要もない。本発明は、添付の図面を用いて単に例示的な方法で以下に説明される。
【００４７】
単語の使用は、１％〜３０％、特に１％〜２０％、特に１％〜１０％、特に１％〜５％、特に１％〜２％の範囲の偏差を実質的に定義し、本願に記載がない場合、好ましくはすべての場合において、これらの言葉が本発明の文脈で適用される。
【図面の簡単な説明】
【００４８】
【図１ａ】本発明による手動作動要素の第１の例示的な実施形態の概略側面図を示す図である。
【図１ｂ】本発明による閉鎖部の第１の例示的な実施形態の概略側面図を示す図である。
【図１ｃ】本発明による温水ボトル用の第１の例示的なマルチパート安全閉鎖装置の概略側面図を示す図である。
【図１ｄ】本発明による温水ボトル用の第１の例示的なマルチパート安全閉鎖装置の概略平面図を示す図である。
【図２ａ】本発明による手動作動要素の第２の例示的な実施形態および本発明による第２の閉鎖部の非結合構成の概略側面図を示す図である。
【図２ｂ】本発明による温水ボトルのためのマルチパート安全閉鎖装置の第２の例示的な実施形態の概略平面図を示す図である。
【図２ｃ】本発明による第２の例示的な手動作動要素の下側の概略平面図を示す図である。
【図２ｄ】本発明による第２の例示的な閉鎖部への概略平面図を示す図である。
【図３ａ】本発明による手動作動要素の第３の例示的な実施形態と、本発明による第２の閉鎖部の概略的な側面図を結合配置で示す図である。
【図３ｂ】本発明による手動作動要素の第３の例示的な実施形態および本発明による第２の閉鎖部の非結合構成の概略側面図を示す図である。
【図３ｃ】本発明による第３の例示的な手動作動要素のさらなる概略側面図を示し、手動作動要素は、図３ｂに示された図と比較して９０°回転するように示されている図である。
【図３ｄ】例示的な方法で図示されている第３の手動作動要素の概略平面図を示しており、手動作動要素は、図３ｂに従って配向されている図である。
【図４】単に図１ｃに例示的に示された本発明による温水ボトル用のマルチパート安全閉鎖部を有する温水ボトルを示す図である。
【図５】図５ａ〜図５ｊは本発明による手動作動要素または閉鎖部から突出する力伝達要素の好ましい横断面の異なる概略図を示す図である。
【図６】第三者が不適切に使用することができないよう本発明により閉じられた温水ボトルを示す図である。
【図７ａ】好ましい閉鎖部の斜視図を示す図である。
【図７ｂ】図７ａに示す閉鎖部品に適合する手動作動要素の斜視図を示す図である。
【図８】図８ａ〜図８ｃは、本発明による閉鎖部の概略断面図を示す図であり、図８ｄ〜図８ｆ本発明による手動作動要素の概略断面図を示す図である。
【図９ａ】本発明による閉鎖部の一例の平面図を示す図である。
【図９ｂ】図９ａから分かる閉鎖部の底面斜視図を示す図である。
【図９ｃ】図９ｂの斜視図に示す閉鎖部の底面図を示す図である。
【図１０ａ】図９ａのＢ−Ｂで示された断面による断面図を示す図である。
【図１０ｂ】図９ａのＡ−Ａで示された断面による断面図を示す図である。
【図１１】図１１ａおよび図１１ｂは、閉鎖部取り付け要素の第１の実施形態の２つの模式的かつ単なる例示的な図を示す図であり、図１１ｃおよび図１１ｄは、図１１ａおよび図１１ｂの閉鎖部取り付け要素が温水ボトル閉鎖部に結合される２つの模式的かつ例示的な図解を示す図であり、図１１ｅおよび図１１ｆは、閉鎖部取り付け要素の第２の実施形態の２つの模式的かつ単なる例示的な図を示す図であり、図１１ｇは、図１１ｅおよび図１１ｆからの閉鎖部取り付け要素が温水ボトル閉鎖部に結合される概略的かつ例示的な図を示す図であり、図１１ｈは、閉鎖部品取り付け要素のさらなる可能な実施形態の３つの模式的かつ単に例示的な図を示す図であり、図１１ｉ〜図１１ｋは、閉鎖部取付要素を連結するための中央カップリング位置を有する温水ボトル閉鎖装置の２つの模式的かつ例示的な実例を示す図であり、図１１Ｌおよび図１１ｍは、図１１ｉ〜図１１ｋに示されている温水ボトル閉鎖部の結合位置、好ましくは少なくとも結合ピンの領域に背面の位置に形成されている別の閉鎖部取り付け要素の２つの模式的かつ単なる例示的な図解を示す図である。
【図１２ａ】アダプタまたは中間部材として具体化された閉鎖部取り付け要素への平面図の概略的かつ単なる例示的な図を示す図である。
【図１２ｂ】図１２ａに示される閉鎖部取り付け要素の側面図の概略的かつ単なる例示的な図を示す図である。
【図１２ｃ】図１２ａに示される閉鎖部取り付け要素の底部からの図の概略的かつ単なる例示的な図を示す図である。
【図１２ｄ】図１２ａ〜図１２ｃに示される閉鎖部取り付け要素の図解の概略的かつ単に例示的な斜視図を示す図である。
【図１２ｅ】温水ボトル閉鎖部の例示的な断面図を示す図である。
【図１２ｆ】図１２ｄに示す閉鎖部取り付け要素の例示的な断面図と、図１２ｅに示す温水ボトルの閉鎖部の結合された配置での断面図を示す図である。
【図１３】図１３ａ〜図１３ｄは、異なるロットを示し、各ロットは、本発明によるパッケージングおよび対象物を含み、パッケージング内に、少なくとも無菌的に保存または配置されることを示す図である。
【発明を実施するための形態】
【００４９】
図１ａは、手動作動要素２を示している。手動で接触させて力を導入するための要素の形状３は、ここでは楕円形として示されているが、円形、長方形または他の任意の形状であってもよい。参照番号８は、図示された実施形態においてピン状に具現化された第２結合要素を示す。ピン状の第２の連結要素８の断面形状の例を図５ａ〜図５ｆに示す。図５ａ〜図５ｅに示された断面は、閉鎖部４の対応するまたは負に具現化された第１結合要素６（図１ｂおよび図１ｃ参照）との正の接続を提供する。図５ｆに示す断面は、ピン状に形成された第２の連結要素８の摩擦接続または締め付けをそれぞれ必要とし、閉鎖部４の第１の結合要素６によって、それぞれ対応するように、または表裏に実施されている。参照符号１０は、好ましくは円周カラーを示し、これは特に好ましくは密封手段としての役割を果たすか、または密封手段を有し、および／または停止として作用する。
【００５０】
図２ａ〜図２ｄは、閉鎖部４にそれぞれ配置されたまたは具現化された第１の連結要素６がピン状に形成された例示的な実施形態を示す。手動接触３用の要素に形成または配置され、それぞれ力の印加または導入である第２の結合要素６は、第１の結合要素６にそれぞれ対応するように裏面に形成されている。
【００５１】
図３ａ〜図３ｄは、第１の連結要素６および第２の連結要素８がそれぞれ平坦または実質的に平坦に形成されている実施形態を概略的に示す。これにより、第１の連結要素６および第２の連結要素８がそれぞれ磁石で形成されることが可能である。択一的または付加的に、第１の連結要素６および第２の連結要素８が引っ掛かり留め具を形成することが可能である。
【００５２】
図４は、本発明による温水ボトル１のためのマルチパート安全閉鎖装置の例を備えた本発明による温水ボトル１４を示し、特に図１ｃに示す温水ボトルのためのマルチパート安全閉鎖装置を提供することである。
【００５３】
図５ｉは、図５ｊの閉鎖部分４に対応するように具体化された手動作動要素２を示す。同様に、図５ｇは、図５ｈに示された閉鎖部４に対応するように具現化された手動作動要素２を示す。両方の場合において、第１の力伝達要素６および第２の力伝達要素８はそれぞれ、複数、特に少なくとも２個、少なくとも３個、少なくとも４個、少なくとも５個、少なくとも６個、少なくとも７個、少なくとも１０個、または少なくとも１５個の部分力伝達要素１００、１０１を有し、第１の力伝達要素６の部分力伝達要素１００は、少なくとも部分的に、好ましくは互いに完全に離間して配置され、第１の力伝達要素６の部分力伝達要素１００は、特に負に、第２の力伝達要素８の部分力伝達要素１０１に伝達される。部分力伝達要素１００は、好ましくは、閉鎖部４の一部として形成され、部分力伝達要素１０１は、好ましくは手動操作要素２の一部として、特に射出成形プロセスにおいて生成される。
【００５４】
図６は、ここには図示されていない手動作動要素２が第三者にアクセス可能にされていない限り、第三者が不適切な方法では開けられないように本発明によって閉じられた温水ボトル１４を示している。
【００５５】
図７ａは、本発明による閉鎖部分４の斜視図を示している。第１の力伝達要素６は、少なくとも部分的に、特に大部分または完全に湾曲するように具体化されていることが分かる。
【００５６】
第２の力伝達要素８が導入され得る閉鎖部分の貫通領域の少なくとも一部分は、好ましくは、少なくとも部分的に、好ましくは大部分、特に好ましくは貫通領域９０を完全に取り囲む壁９２によって区切られる。
【００５７】
本発明の好ましい実施形態によれば、第１の力伝達要素８は、壁、特に包囲壁９２によって形成され、壁９２は、貫通領域９２、特に凹部５を画定し、この貫通領域９２、特に凹部５は、好ましくはストリップ状、特に円周状の輪郭を描写し、凹部５は好ましくは１０ｍｍ未満、特に９ｍｍ未満、または８ｍｍ未満、または７ｍｍ未満、または６ｍｍ未満、または５ｍｍ未満、または４ｍｍ未満、または３ｍｍ未満であり、特に０.５ｍｍと２.９ｍｍとの間、１ｍｍから２ｍｍの間で、輪郭に直交する。第１の力伝達要素８は、好ましくは、外側力伝達面６１および／または内側力伝達面６２を介して閉鎖部４の第２の力伝達要素６と協働することができるように具現化される。
【００５８】
凹部５は、好ましくは狭くまたは大きく設計されており、閉鎖部４を作動させるためのものではないナイフまたはコインなどの装置を使用して閉鎖装置を開くことができないように湾曲していることが好ましい。
【００５９】
図７ｂは、本発明による手動作動要素４の斜視図を示している。第２の力伝達要素８は、少なくとも部分的に、特に大部分または完全に湾曲するように具体化されていることが分かる。
【００６０】
第２の力伝達要素８の少なくとも部分は、貫通領域９０の包囲壁９２に結合され得る外壁７９を有する。
【００６１】
本発明の好ましい実施形態によれば、第２の力伝達要素８は壁によって形成され、壁は１０ｍｍ未満の厚さを有し、特に９ｍｍ未満、または８ｍｍ未満、または７ｍｍ未満、または６ｍｍ未満、または５ｍｍ未満、または４ｍｍ未満、または３ｍｍ未満であり、特に０.５ｍｍと２.９ｍｍとの間、１ｍｍから２ｍｍの間である。第２の力伝達要素８は、外壁の外側力伝達面８１および／または内壁８０の内側力伝達面８２を介して、閉鎖部４の第１の力伝達要素６と協働することができるように設計されることが好ましい。
【００６２】
第２の力伝達要素８の少なくとも外側の力伝達面８１は、好ましくは、第１の力伝達要素６の外側の力伝達面６１と協働し、および／または第２の力伝達要素８の少なくとも内側の力伝達面８２は、第１の力伝達要素６の内側の力伝達面６２と協働する。閉鎖部４が外力伝達面６２，６１のみを有することが可能であることは言うまでもない。マニュアル操作要素２を参照されたい。
【００６３】
貫通領域９０を囲む様式で境界を定める壁９２の外側の力伝達表面は、好ましくは、隆起部の外側の力伝達表面よりも閉鎖部分または手動の作動要素の回転軸からさらに離れて離間しており、それぞれの構成要素は、温水ボトルの開閉に呼応して回転軸の周りを回転する。外側の力伝達面６１，６２は、閉鎖部２の側部（外側）に配置され、閉鎖部２が温水ボトルにねじ込まれるとアクセス可能であり、内側力伝達面１６０，１６１は閉鎖部２の側部（内側）に配置され、閉鎖部２が温水ボトルにねじ込まれたときにアクセスできず、すなわちねじ山付き部分１５の内側にねじ込まれる。
【００６４】
図８ａ〜８ｃは、本発明による閉鎖部品４の実施例の３つの異なる図を示す。しかしながら、個々の閉鎖部４の貫通領域９０は異なる。図８ａおよび図８ｂは、隆起部９４を有する閉鎖部を示しているが８ｃはそのような隆起部を持たず、したがって隆起部９４の外周壁６０も有していない。図８ａおよび図８ｂによれば、貫通領域は、部分的に、セクション的に、完全にまたはほぼテーパ状に形成することができる。しかしながら、貫通領域は、互いに平行に配向されているか、または傾斜して配向されていることが好ましい壁９２，６０によって画定されることも可能である。参照番号９６は、貫通領域９０のテーパ部分を示す。
【００６５】
図８ｄ〜８ｆにより例示的に例示されている例示的な手動作動要素２は、いずれの場合もハンドル部分３を有する。図８ｅおよび図８ｆに示す例は、力伝達面８２を形成するための内壁８０をさらに有する。したがって、（手動作動要素２の）第２の力伝達手段８は、力または運動量のみをそれぞれ導入することが可能であり、閉鎖部分４を内壁８０を介して（閉鎖部分４の）第１の力伝達要素６にねじ込みまたはねじ止めするためのものである。しかしながら、代わりに、力が内面８０、８２および外壁７９を介して伝達されることも可能である。力および運動量は外面を介してのみ伝達されることがさらに可能である。図８ｄは、例えば力および運動量を伝達するための内面を有さず、外面７９のみを介して力および運動量を伝達する手動作動要素２を示す。
【００６６】
さらに、図示された手動作動要素２のそれぞれは、図８ｃに示す閉鎖部と協働することが可能である。図８ｅおよび図８ｆによる手動作動要素は、図８ａおよび８ｂによる閉鎖部４と協働することがさらに可能である。
【００６７】
したがって、閉鎖部４と手動作動要素２は、好ましくは連結状態に保持され、第１の力伝達要素６と第２の力伝達要素８との協働によって、摩擦による、または正の接続または磁気的な接続によって達成される。第１の力伝達要素６と第２の力伝達要素８との間に、好ましくは、点圧力または線圧力または面圧を生成することができ、それによって摩擦結合が好ましく形成される。これは、閉鎖部４が、閉鎖部４を緩めたときに、手動作動要素２によって引っ張られ、従って、完全な緩めの瞬間に手動作動要素２によって直接保持されるので、有利である。これは、ユーザがオブジェクトを手に保持し、より簡単に格納できるため、非常に有用である。ネジを外した瞬間に、閉鎖部４はさらに下降しないので、ロスの危険がある。
【００６８】
本発明のさらに好ましい実施形態によれば、隆起部９４（または隆起壁６０）の壁６０の隆起面６２と包囲壁９２の外力伝達面６１との間の距離Ａは１２ｍｍ未満であり、特に１１ｍｍ未満、または９ｍｍ未満、または８ｍｍ未満、または７ｍｍ未満、または６ｍｍ未満、または５ｍｍ未満、または４ｍｍ未満、または３ｍｍ未満、または２ｍｍ未満、特に１.５ｍｍまたは１ｍｍ未満である。隆起部９４と包囲壁９２は、好ましくは同じ高さまたは実質的に同じ高さを有する。
【００６９】
第２の力伝達要素８は、好ましくは、隆起部９４の壁６０および／または包囲壁９２の外側力伝達面６１を介して第１の連結要素６に連結することができる。
【００７０】
閉鎖部の回転中心の方向に向けられた壁９２の表面は、好ましくは、外側力伝達表面６１および隆起部９４の壁６０の表面として識別され、外側（特に半径方向外側）に向けられ、その少なくとも一部が外側の力伝達面６１によって取り囲まれている部分は、好ましくは、外側の力伝達面６２として識別される。
【００７１】
隆起部９４は、２Ｎｍ±０.１Ｎｍのトルクを閉鎖部２に導入するように設計されることが好ましく、水密シールおよび温水ボトルを開くためには、５０Ｎを超える力で隆起部９４に力を加えることが必要であり、特に６０Ｎを超える、または７０Ｎを超えるものであり、好ましい実施形態による隆起部９４は、特にこの実施形態によれば、カラー表面１３を越えて閉鎖部２の長手方向Ｌにわずかに突出していないか、カラー１０を長手方向Ｌに、長手方向Ｌに、特に７ｍｍ以下、または６ｍｍ以下、または５ｍｍ以下、または４ｍｍ以下、または３ｍｍ以下、または２ｍｍ以下、または１ｍｍ以下である。これに加えてまたは代替的に、第２の力伝達要素８の少なくとも部分は、貫通領域９０の包囲壁９２に結合することができる外壁７９を有し、包囲壁９２に加えて、貫通領域９０は、好ましくは、少なくとも１つの壁６０によって少なくとも１つの隆起部９４によって画定され、特に包囲壁９２によって区切られた少なくとも１つの領域によって形成されたピン状または柱状の要素である。
【００７２】
図９ａは、本発明による閉鎖部２の一例の平面図を示す。閉鎖部４は、手動作動要素２を受け入れるための貫通領域９０を有する。この特別な実施形態によれば、貫通領域９０は、一方では、貫通領域を囲む壁９２によって区切られている。他方、貫通領域９０は、隆起部９４によって形成された壁６０によって区切られている。しかし、これに代えて、壁６０、したがって隆起部９０を形成しないことも可能である。参照数字１０は、閉鎖部４のカラーを示す。
【００７３】
図９ｂは、図９ａから分かる閉鎖部４の斜視底面図を示す。図から、複数の、特に２つ以上の中空空間３０〜３５、好ましくは３つ以上、特に好ましくは４つ以上の中空空間が集まっていることが分かり、図５または図６の実施形態は、壁９２と、ねじ山を有する周壁２８との間に形成されている。閉鎖部品の下面には、貫通領域９０を囲む壁９２の少なくとも部分がねじ山を有する周壁２８から間隔をおいて配置されており、これにより、互いに画定された複数の自由空間３０〜３４が、ねじ山を有する周壁２８と壁９２との間に形成され、貫通領域９０を包囲しているか、または周囲の自由空間が、包囲壁９２とねじ山を有する周壁２８との間に形成されている。自由空間３０〜３４または自由空間３５は、好ましくは、包囲する周壁２８の最大壁厚から生じ、最大壁厚は５ｍｍ未満であり、特に４ｍｍ未満または３ｍｍ未満または２ｍｍ未満である。それに加えてまたは代替的に、カラー１０は、少なくとも１ｍｍまたは１.５ｍｍの厚さまたは２ｍｍの厚さを有するカラー壁によって形成され、好ましくは少なくとも２.５ｍｍ、少なくとも２.８ｍｍ、少なくとも３.０ｍｍ、または少なくとも３.３ｍｍ、または少なくとも３.４５ｍｍ、または少なくとも３.５５ｍｍ、または少なくとも３.６ｍｍ、または少なくとも３.６５ｍｍ、または少なくとも３.７ｍｍまたは少なくとも３.７５ｍｍの長さを有し、長手方向Ｌに延びている。
【００７４】
図９ｂ、図９ｃはさらに、シール１３またはシール要素１３をそれぞれ示している。 シールまたはシール要素は、それぞれ、カラー１０の一部であることが好ましく、特に、カラー１０と一体に形成されていることが好ましい。温水ボトルを密封するために、シール１３または密封要素１３は、好ましくは、ねじ山付き部分１５と協働し、プレスすることによって、または密封目的のために、プレスによって熱湯ボトル本体を形成する材料の一部と協働する。ねじ山付き部分１５の少なくとも部分は、好ましくは、熱湯ボトル本体を形成する材料によって取り囲まれており、ねじ部分１５の少なくとも部分は、好ましくは、特に材料によってインサート成形されている。シールの目的のために、シール１３またはシール要素１３は、特に好ましくは、ネジ山を取り囲む熱湯ボトル本体の材料と協働する。
【００７５】
図１０ａは、図９ａに示される閉鎖部４の断面図を示す。この実施形態における貫通領域９０は、外側の貫通領域を囲む壁９２によって画定されていることが分かる。この実施形態および好ましくは貫通領域９０を有する他のすべての実施形態では、この壁は少なくとも０.８ｍｍの厚さ、好ましくは少なくとも１ｍｍの厚さ、特に好ましくは少なくとも１.２ｍｍの厚さであり、少なくとも１.５ｍｍの厚さ、少なくとも１.８ｍｍの厚さ、または少なくとも２ｍｍの厚さを有する。壁９２は、好ましくは最大５ｍｍ、特に好ましくは最大３ｍｍ、最大２.５ｍｍ、最大２ｍｍ、最大１.５ｍｍである。断面図では、壁９２の外面６１は、好ましくは、表面１１に対して傾斜するように具体化されており、特に６０°〜９０°の角度で形成され、好ましくは７０°〜８９°または８０°〜８８°の角度で形成される。
【００７６】
隆起部９４を形成する壁６０は、好ましくは少なくとも０.８ｍｍの厚さ、好ましくは少なくとも１ｍｍの厚さであり、特に好ましくは少なくとも１.２ｍｍ厚、または少なくとも１.５ｍｍ厚、または少なくとも１.８ｍｍ厚、または少なくとも２ｍｍ厚である。壁６０は、好ましくは、最大で５ｍｍ、特に好ましくは最大で３ｍｍ、最大で２.５ｍｍ、最大で２ｍｍ、最大で１.５ｍｍの厚さである。断面図では、壁６０の外面６２は、好ましくは、表面１１に対して傾斜するように具体化され、特に６０°〜９０°の角度で形成され、好ましくは７０°〜８９°または８０°〜８８°の角度で形成されている。
【００７７】
壁９２は、好ましくは、壁６０に、または接続壁６４または接続壁部分６４を介して直接接続される。接続壁６４は、好ましくは少なくとも０.８ｍｍの厚さ、好ましくは少なくとも１ｍｍの厚さ、特に好ましくは少なくとも１.２ｍｍの厚さであり、少なくとも１.５ｍｍの厚さ、少なくとも１.８ｍｍの厚さ、または少なくとも２ｍｍの厚さを有する。接続壁６４は、好ましくは、最大で５ｍｍの厚さであり、特に好ましくは最大で３ｍｍの厚さであり、最大で２.５ｍｍ、最大で２ｍｍ、最大で１.５ｍｍの厚さである。
【００７８】
壁９２は、内面１６１をさらに有する。断面図において、壁９２の内面１６１は、好ましくは、面１１に対して傾斜するように具体化され、特に６０°〜９０°の角度で形成され、好ましくは７０°〜８９°または８０°〜８８°の角度で形成される。
【００７９】
壁６０はさらに、それぞれ内側または内側表面１６０を有する。断面図では、壁６０の内面１６０は、好ましくは、面１１に対して傾斜するように具体化されており、特に６０°〜９０°の角度で形成され、好ましくは７０°〜８９°または８０°〜８８°の角度で形成される。
【００８０】
１５１はねじ部の内壁を示している。
【００８１】
図１０ｂは寸法の好ましい例を示す。これにより、高さＨは、９４１で識別される壁部分の厚さを識別することが好ましい。壁部９４１は、好ましくは少なくとも０.８ｍｍ、好ましくは少なくとも１ｍｍ、特に好ましくは少なくとも１.２ｍｍの高さＨ１であり、または少なくとも１.５ｍｍ、または少なくとも１.８ｍｍ、または少なくとも２ｍｍである。 好ましくは、壁部９４１は、最大でも５ｍｍ、特に好ましくは最大で３ｍｍ、最大で２.５ｍｍ、最大で２ｍｍ、最大で１.５ｍｍの高さＨ１を有する。
【００８２】
高さＨ２は、好ましくは、貫通領域９０の高さを識別する。侵入領域９０は、好ましくは、少なくとも０.８ｍｍ、好ましくは少なくとも１ｍｍ、特に好ましくは少なくとも１.２ｍｍの高さＨ２を有し、または少なくとも１.５ｍｍ、または少なくとも１.８ｍｍ、または少なくとも２ｍｍ、または少なくとも３ｍｍ、または少なくとも４ｍｍ、または少なくとも５ｍｍである。侵入領域９０は、好ましくは最大１５ｍｍ、特に好ましくは最大１２ｍｍ、最大１０ｍｍ、最大８ｍｍ、最大５ｍｍ、最大２ｍｍの高さＨ２を有する。
【００８３】
図１１ａは、それぞれ、温水ボトルの安全閉鎖装置の閉鎖部取り付け要素３０２または閉鎖部取り付け要素３０２の概略斜視図を示している。閉鎖部品取り付け要素３０２は、少なくとも１つの機能的手段３０６を有し、機能的手段３０６は機能領域３０８を形成し（図１１ｂ、１１ｍまたは１２ｂ参照）、機能領域３０８は、温水ボトルの安全閉鎖のための閉鎖部４の力伝達要素６の少なくとも部分的な重なりによって形成される。
【００８４】
機能的手段３０６は、磁気的に形成されるか、または少なくとも１つの磁性素子または磁性部分を有することがさらに可能である。また、磁気的に活性である要素は、好ましくは、第２の面３１２を介して閉鎖部品取り付け要素３０２に磁気的に結合することができる。それに加えて、またはその代わりに、第２の側部３１２は、その上に材料接続によって、または正または摩擦的に配置して別の要素を解放可能にまたは解放不能に配置することができるように形成することが可能である。
【００８５】
図１１ｂは、図１１ａの側面図を示す。
【００８６】
図１１ｃは、本発明による温水ボトルの安全閉鎖装置のための閉鎖部４または閉鎖部４のアセンブリの側面図をそれぞれ示し、本発明による閉鎖部品取り付け要素３０２の別の例を示している。図面から分かるように、閉鎖部品取り付け要素３０２が温水ボトルの安全閉鎖のために閉鎖部分４に結合されている状態では、機能的手段３０６は、好ましくは、第２の面３１２（図１１ｂ参照）上で、好ましくは可視であるか、接触可能であるか、またはアクセス可能であり、第１の面３１０とは異なり、好ましくは第１の面３１０と実質的にまたは正確に平行に配置される。閉鎖部取り付け要素３０２が温水ボトル用の安全閉鎖部の閉鎖部４に連結されている状態では、機能的手段３０６の第１の面３１０は、少なくとも部分的に不可視であるか、触感不能であるか、またはアクセス不能であるか、または覆われていることが好ましい。
【００８７】
図１１ｄは、図１１ｃに示すアセンブリの断面図を示している。よって、セクションは、図１１ｃに“Ａ”を付けて示される切断線に従って走る。この図から、機能手段３０６が電子手段３１６を有することができることが分かる。本発明の精神によれば、好ましくは１つ、正確に１つまたは少なくとも１つの電子手段３１６が設けられ、２つ、正確に２つまたは３つ以上の電子手段３１６を設けることも可能であり、特に、機能領域３０８内に完全にまたは部分的に埋め込まれる。したがって、電子手段３１６が第１の面または表面３１０をそれぞれ越えて突出することが可能であり、および／または機能的手段３０６の第２の面または表面３１２をそれぞれ越えて、またはそれに隣接して配置され得る。さらに、第１の面３１０と第２の面３１２との間に、それぞれ電子手段３１６または複数の電子手段３１６が専らまたは完全に形成されていることも可能である。電子手段３１６は、好ましくは、特に温度センサおよび／または輝度センサまたは光センサをそれぞれ有するセンサ手段であり、および／または湿度センサおよび／または動きセンサ、および／またはアキュムレータおよび／またはプロセッサ装置および／または通信装置を含むことができ、特にブルートゥース、および／またはディスプレイおよび／または音響出力装置および／または放射線源、特に光源、特にＬＥＤ光、および／または電気エネルギーを生成するための装置、特に、太陽電池デバイスおよび／またはピエゾ素子デバイス、特に１つまたは複数のピエゾ素子を有するものである。好ましくは、電子手段３１６は、複数の上述の構成要素および／または装置を有する装置である。
【００８８】
図１１ｅは、好ましくは断熱性閉鎖カバーとして具体化される閉鎖部取り付け要素３０２を示す。閉鎖部品取り付け要素３０２は、本発明による閉鎖部４のカラー１０に、好ましくは摩擦的に結合することができ、好ましくは少なくとも部分的に、特に好ましくは完全に円周方向の位置決め要素３０４として具体化される固定領域３０８によって固定される。
【００８９】
図１１ｇは、図１１ｅおよび図１１ｆに示される閉鎖部取り付け要素３０２が本発明による閉鎖部４上に配置される状態を示す。
【００９０】
図１１ｈは、さらなる閉鎖部取り付け要素３０２の例を示しており、それぞれ、閉鎖部４の対応して具現化された力伝達要素６と協働するか、またはそれに連結され得ることを示している。このような依存する設計は、力伝達要素６または複数の力伝達要素６にそれぞれ運動量を導入することができ、位置決め要素３０４または複数の位置決め要素３０４の協働によって、閉鎖部４を形成するため有効である。閉鎖部４のカラー１０を介したカップリングの代替案は、図１１ｅ〜図１１ｇに少なくとも概略的に示されているが、これは閉鎖部４の力伝達要素６のそれぞれの設計とは独立しているためさらに有効である。
【００９１】
図１１ｉは、温水ボトルの安全閉鎖装置用閉鎖部４のさらに好ましい例の断面図を示している。この実施例によれば、閉鎖部分４は、中央の結合位置３１８を有し、その中央で、上側のカラー１０を画定する面１１の側面からスレッド１２で囲まれた領域内に延びている。これにより、結合位置３１８は、好ましくは、閉鎖部４を上方に、特に軸方向にシールする壁３１９の一部である。結合位置３１８の表面３２１は、好ましくは、少なくとも部分的に円錐形またはピン形状の設計を形成する。
【００９２】
図１１ｋは、図１１ｉに示された閉鎖部分４上の平面図を示す。
【００９３】
図１１ｌは、本発明による閉鎖部品取り付け要素３０２のさらなる例の概略底面図を示している。参照番号３０８は、閉鎖部品取り付け要素３０２の機能的手段３０６の第１の側面または機能的手段３０６のそれぞれの下側を識別する。さらに、閉鎖部４の結合位置３１８に対応するように好ましくは具現化された位置決め手段３０４が、好ましくは機能的手段３０６の下面３１０の中央にそれぞれ形成または配置される。
【００９４】
図１１ｍは、図１１ｌに示す閉鎖部取り付け要素３０２の概略側面図を示す。
【００９５】
さらに、機能手段３０６の形状が円形、特にディスク状の形状と異なることができるすべての閉鎖部取り付け要素３０２を適用する。
【００９６】
図１２ａは、第２の側面３２への上面図、特に好ましい閉鎖部品取り付け要素３０２の機能的手段３０６の外面の概略図を示す。機能的手段３０６の第２の面３１２は、これにより、３次元的に設計された結合面３１４を形成することが好ましい。カップリング面３１４は、好ましくは、特に、温水ボトルの安全閉鎖用の手動作動要素または手動作動要素２に連結するために、別の要素に連結するのに役立つ。それによって、結合面３１４は、好ましくは、十字形の形状を形成する。しかし、これにより、結合面３１４は、十字形とは異なる形状を形成することが可能である。
【００９７】
図１２ｂは、閉鎖部品取り付け要素３０２の側面図を示している。図１２ａとの組み合わせから分かるように、十字形状の結合面３１４は、図１２ａに示されているように、機能的手段３０６または機能領域３０８のそれぞれに凹みとして具現化されている。しかしながら、代わりに、結合表面３１４または三次元結合構造３１４をそれぞれ突出させるように具現化することも可能である。好ましくは、少なくとも１つの位置決め手段３０４が機能領域３０８または機能手段３０６にそれぞれ隣接している。位置決め手段３０４は、好ましくは、閉鎖部分４の力伝達要素６に負に実施される。この図によれば、位置決め手段３０４は、星形に形成されており、その代わりに、円形またはリングとは異なる形状、特に異なる形状を有することもできる。
【００９８】
図１２ｃは、図１２ａおよび図１２ｂに示される閉鎖部取り付け要素３０２の下面３１０上の上面図を示す。
【００９９】
図１２ｄは、図１２ａ〜図１２ｃに既に示されている閉鎖部取り付け要素３０２を斜視図で示している。
【０１００】
単に例示的な方法で、図１２ｅは、閉鎖部品４の図を示しており、閉鎖部４も図１０ａに示されている。
【０１０１】
図１２ｆは、図１２ｄに示される閉鎖部品取り付け要素３０２のアセンブリの断面図を示しており、図１２ｅに示す閉鎖部４を示している。
【０１０２】
図１２ａ〜図１２ｄにそれぞれ類似するように設計された閉鎖部取り付け要素３０２は、好ましくは、中間部材またはアダプタとして識別することもできる。
【０１０３】
特に好ましくは、閉鎖部品取り付け要素３０２の少なくとも一部は、射出成形部品または３Ｄ印刷部品である。閉鎖部品取り付け要素３０２は、好ましくは、少なくとも部分的にポリマー材料、特にＰＥ、Ｐａ、ＰＬＡまたはそれらの組み合わせからなる。
【０１０４】
図１３ａ〜図１３ｄは、本発明による異なる、少なくとも滅菌された、特に滅菌された包装された物体を示す。これにより、これらの図に示されている物体の全ての可能な組み合わせが、滅菌された、特に滅菌された方法で、包装内に配置されることも可能である。好ましくは、これらの図に示されている包装２００は、容積または質量に関して、少なくとも部分的にまたは大部分または完全にポリマー材料からなる包装であり、特にポリプロピレンまたはポリアミドまたはポリエチレン、またはこれらの材料の少なくとも２つの組み合わせのいずれか、またはそれらをそれぞれ有する。
【０１０５】
参照番号２０２は、パッケージング２００によって区切られた、胚芽が減少した、特に滅菌された領域を示す。
【０１０６】
図１３ａに示すように、図示された対象物は、図１の温水ボトル１のためのマルチパート安全閉鎖装置を有する温水ボトル１４であり、図１３ｂは、閉鎖部品取り付け要素３０２であり、図１３ｃは温水ボトルの安全閉鎖装置用の閉鎖部４と温水ボトルの安全閉鎖装置用の手動作動要素２であり、また、図１３ｄは、さらなる閉鎖部取り付け要素３０２、特にアダプタを示している。また、この梱包２００のうちの１つは、温水ボトルカバー用として、特に織物材料を有するものである。
【０１０７】
パッケージ２００は、好ましくは、物体の導入およびその後の封止後に開口することができ、特に好ましくは、パッケージングの破壊、すなわちそれぞれの目的物を除去するための滅菌状態の排除または排除の結果としてのみである。
【符号の説明】
【０１０８】
１：温水ボトル用マルチパート安全閉鎖装置、２：温水ボトルの安全閉鎖装置のための手動作動要素または手動作動要素、３：手動接触の要素、４：安全閉鎖温水ボトル用の閉鎖部または閉鎖部、５：凹部、６：第１の力伝達要素、８：第２の力伝達要素、１０：カラー、１１：長手方向Ｌのカラー区切り表面、１２：雄ねじ、１３：周縁シール要素、１４：温水ボトル、１５：スレッドピース、１６：ファンネル、１７：ねじ片の雌ねじ、２８：雄ねじを有する周壁部、３０：それぞれ第１の中空空間または第１のくぼみ、３１：それぞれ第２の中空空間または第２のくぼみ、３２：それぞれ第３の中空空間または第３のくぼみ、３３：それぞれ第４の中空空間または第４のくぼみ、３４：それぞれ第５の中空空間または第５のくぼみ、３５：それぞれ中央の中空空間または中央のくぼみ、６０：隆起部の壁、６１：それぞれ第１の力伝達要素または包囲壁９２の外側力伝達面、６２：隆起部の壁の外側力伝達面、６４：接続壁、７９：第２の力伝達要素の外壁部分、８０：第２の力伝達要素の内壁部分、８１：第２の力伝達要素の外部力伝達面、８２：第２の力伝達要素の内部力伝達面、９０：第１の力伝達要素の浸透エリア、９２：第１の力伝達要素の包囲壁もしくは第１の力伝達要素の包囲壁、９４：第１の力伝達要素の隆起部、９６：テーパ部分、９８：増加部分、１００：閉鎖部の部分的な力伝達要素、１０１：手動作動要素の部分力伝達要素、１５１：ねじ部の内壁、１６０：壁部分６０の内側表面、１６１：壁部分９２の内側表面、２００：包装、２０２：受信エリア、３００：閉鎖部の下面、３０２：温水ボトルのための安全閉鎖装置の閉鎖部取り付け要素または閉鎖部取り付け要素、３０４：位置決め要素、３０６：機能的手段、３０８：機能領域、３１０：機能的手段の第１の側、３１２：機能的手段の第２の側、３１４：結合面、３１６：電子手段、３１８：中心結合位置、９４１：隆起部の中央壁部分、Ａ：距離、Ｌ：縦方向、Ｈ１：高さ１、Ｈ２：高さ２
【図１ａ】
2018507759.tif 000003
【図１ｂ】
2018507759.tif 000004
【図１ｃ】
2018507759.tif 000005
【図１ｄ】
2018507759.tif 000006
【図２ａ】
2018507759.tif 000007
【図２ｂ】
2018507759.tif 000008
【図２ｃ】
2018507759.tif 000009
【図２ｄ】
2018507759.tif 000010
【図３ａ】
2018507759.tif 000011
【図３ｂ】
2018507759.tif 000012
【図３ｃ】
2018507759.tif 000013
【図３ｄ】
2018507759.tif 000014
【図４】
2018507759.tif 000015
【図５ａ】
2018507759.tif 000016
【図５ｂ】
2018507759.tif 000017
【図５ｃ】
2018507759.tif 000018
【図５ｄ】
2018507759.tif 000019
【図５ｅ】
2018507759.tif 000020
【図５ｆ】
2018507759.tif 000021
【図５ｇ】
2018507759.tif 000022
【図５ｈ】
2018507759.tif 000023
【図５ｉ】
2018507759.tif 000024
【図５ｊ】
2018507759.tif 000025
【図６】
2018507759.tif 000026
【図７ａ】
2018507759.tif 000027
【図７ｂ】
2018507759.tif 000028
【図８ａ】
2018507759.tif 000029
【図８ｂ】
2018507759.tif 000030
【図８ｃ】
2018507759.tif 000031
【図８ｄ】
2018507759.tif 000032
【図８ｅ】
2018507759.tif 000033
【図８ｆ】
2018507759.tif 000034
【図９ａ】
2018507759.tif 000035
【図９ｂ】
2018507759.tif 000036
【図９ｃ】
2018507759.tif 000037
【図１０ａ】
2018507759.tif 000038
【図１０ｂ】
2018507759.tif 000039
【図１１ａ】
2018507759.tif 000040
【図１１ｂ】
2018507759.tif 000041
【図１１ｃ】
2018507759.tif 000042
【図１１ｄ】
2018507759.tif 000043
【図１１ｅ】
2018507759.tif 000044
【図１１ｆ】
2018507759.tif 000045
【図１１ｇ】
2018507759.tif 000046
【図１１ｈ】
2018507759.tif 000047
【図１１ｉ】
2018507759.tif 000048
【図１１ｋ】
2018507759.tif 000049
【図１１ｌ】
2018507759.tif 000050
【図１１ｍ】
2018507759.tif 000051
【図１２ａ】
2018507759.tif 000052
【図１２ｂ】
2018507759.tif 000053
【図１２ｃ】
2018507759.tif 000054
【図１２ｄ】
2018507759.tif 000055
【図１２ｅ】
2018507759.tif 000056
【図１２ｆ】
2018507759.tif 000057
【図１３ａ】
2018507759.tif 000058
【図１３ｂ】
2018507759.tif 000059
【図１３ｃ】
2018507759.tif 000060
【図１３ｄ】
2018507759.tif 000061
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
温水ボトル（１）のためのマルチパート安全閉鎖装置であって、
少なくとも、
前記温水ボトルの雌ねじに螺合させるための雄ねじ（１２）と、閉鎖部（４）を前記温水ボトル（１４）の内部ねじ山にねじ込むための運動量を伝達するための第１の力伝達要素（６）を有し、前記温水ボトル（１４）を水密的にシールするとともに前記温水ボトル（１４）の前記内部ねじ山（１７）から前記閉鎖部（４）を外す、閉鎖部（４）と、
前記閉鎖部（４）を前記温水ボトル（１４）の前記雌ねじ山（１７）に締め付けたり緩めたりするのに必要な運動量を前記閉鎖部（４）に導入するための第２の力伝達要素（８）を有する手動作動要素（２）と、を含む、温水ボトル（１）のためのマルチパート安全閉鎖装置であって、
前記第１の力伝達要素（６）および前記第２の力伝達要素（８）は、前記閉鎖部（４）と前記手動作動要素（２）とを作動可能な接続部を形成することによって互いに解放可能に結合することができるように対応して具現化され、
前記第１の力伝達要素（６）は、内部力伝達要素として周囲壁部分によって配置され、前記第２の力伝達要素（８）は、内部力伝達要素を少なくとも部分的に貫通するように配置され、
前記第２の力伝達要素（８）が導入され得る前記閉鎖部（４）の貫通領域（９０）の少なくとも一部は、少なくとも部分的に包囲する包囲壁（９２）によって区切られており、
前記閉鎖部の下面（３００）には、前記貫通領域（９０）を包囲する前記包囲壁（９２）の少なくとも一部が、ねじ山を有する円周壁（２８）から間隔を置いて配置され、それにより、複数の自由な前記包囲壁（９２）と前記円周壁（２８）との間に形成された空間（３０〜３４）が設けられていることを特徴とする、マルチパート安全閉鎖装置。
【請求項２】
請求項１に記載の温水ボトルのためのマルチパート安全閉鎖装置であって、
前記包囲壁（９２）によって少なくとも部分的に囲まれた隆起部（９４）が前記閉鎖部（４）上に設置されており、
前記隆起部（９４）の壁（６０）と前記包囲壁（９２）との間の距離（ａ）が１２ｍｍ未満であり、
前記隆起部（９４）および前記包囲壁（９２）が、好ましくは、同じ高さまたは実質的に同じ高さを有する、
または、
前記隆起部（９４）が、２Ｎｍ±０．１Ｎｍのトルクを水密シールのための閉鎖部（２）に導入し、５０Ｎ以上の力で突出部に力を加えて熱湯ボトルを開くために設計され、前記カラー（１０）を前記長手方向（Ｌ）に画定する前記カラー表面（１３）を越えて前記閉鎖部（２）の長手方向（Ｌ）にわずかに突出していない、
または、
前記第２の力伝達要素（８）の少なくとも一部は、前記貫通領域（９０）の前記包囲壁（９２）に結合することが可能な外壁（７９）を有し、前記包囲壁（９２）に加えて、少なくとも１つの隆起部（９４）によって少なくとも1つの壁（６０）によって境界が定められており、前記包囲壁（９２）によって画定された領域内に形成されており、特にピン状又は柱状の要素であることを特徴とする、マルチパート安全閉鎖装置。
【請求項３】
請求項１に記載の温水ボトルのためのマルチパート安全閉鎖装置であって、
前記第１の力伝達要素（６）は、特にカラー表面（１３）を越えて前記閉鎖部（２）の長手方向（Ｌ）に突出するように突出力伝達要素（６）として形成され、前記閉鎖部の長手方向Ｌにカラー（１０）を画定し、前記閉鎖部（２）の前記突出力伝達要素（６）は、２Ｎｍ±０．１Ｎｍのトルクが前記閉鎖部（２）に導入され、水密シール用及び熱湯ボトルを開くために５０Ｎを超える力、特に７０Ｎを超える力で前記突出力伝達要素（６）に力を加えることを必要とすることを特徴とする、マルチパート安全閉鎖装置。
【請求項４】
請求項１に記載の温水ボトルのためのマルチパート安全閉鎖装置であって、
前記温水ボトル（１４）の前記雌ねじ（１７）に前記温水ボトル（１４）を閉塞する前記閉鎖部（４）を螺合させると、前記手動作動要素（２）と前記閉鎖部（４）との間の連結を少なくとも解除することができる、
または、
前記閉鎖部（４）が、少なくとも部分的にかつ好ましくは完全に円周方向のカラー（１０）を有し、前記カラー（１０）が、最大ねじ込み深さおよび／または周縁シール要素（１３）を画定するための止め具を具え、前記周縁シール要素（１３）が、好ましくは湾曲した接触面を有する隆起部として形成され、前記カラー（１０）の一体部品であり、前記閉鎖部（２）の一体部品である、
または、
前記閉鎖部（４）および／または前記手動作動要素（２）が射出成形部品であり、ポリマー材料からなり、該ポリマー材料が少なくとも１００℃の温度安定性を有する、
または
前記閉鎖部（４）が、少なくとも１２ｍｍ、特に少なくとも１６ｍｍの開口径を有する温水ボトル開口を閉鎖するように構成されている、
または、
操作上の接続を確立するために、前記第１の力伝達要素（６）および前記第２の力伝達要素（８）の対応する部分が互いに接触するように、前記第１の力伝達要素（６）と前記第２の力伝達要素（８）とを互いに接触させることができ、前記対応する部分が、少なくとも部分的に、特に大部分または完全に湾曲するように構成されていることを特徴とする、マルチパート安全閉鎖装置。
【請求項５】
請求項１に記載の温水ボトルのためのマルチパート安全閉鎖装置であって、
前記閉鎖部（４）および前記手動作動要素（２）は、特にクランプ方式で協働し、前記第１の力伝達要素（６）と前記第２の力伝達要素（８）との協働により、前記第１の力伝達要素（６）と前記第２の力伝達要素（８）とが連結状態に保持されることを特徴とする、マルチパート安全閉鎖装置。
【請求項６】
温水ボトル用のマルチパート安全閉鎖装置であって、
少なくとも、
温水ボトルの雌ねじに螺合させるための雄ねじ（１２）と、閉鎖部（４）を前記温水ボトル（１４）の内部ねじ山にねじ込むための運動量を伝達するための第１の力伝達要素（６）を有し、前記温水ボトル（１４）を水密的にシールするとともに前記温水ボトル（１４）の前記内部ねじ山（１７）から前記閉鎖部（４）を外す、閉鎖部（４）と、
前記閉鎖部（４）を前記温水ボトル（１４）の前記雌ねじ山（１７）に締め付けたり緩めたりするのに必要な運動量を前記閉鎖部（４）に導入するための第２の力伝達要素（８）を有する手動作動要素（２）と、を含む、温水ボトル（１）用のマルチパート安全閉鎖装置であって、
前記手動作動要素（２）と前記閉鎖部（４）との間の解放可能な配置のための少なくとも１つの閉鎖部取り付け要素（３０２）が設けられ、一方では前記第１の力伝達要素（６）に対応し他方では前記第２の力伝達要素（８）に対応するように閉鎖部取り付け要素（３０２）が構成され、前記手動作動要素（２）を介して導入された運動量が、前記第２の力伝達要素（８）を介して前記閉鎖部取り付け要素（３０２）に導入され、後者を介して前記閉鎖部（４）に導入されることを特徴とする、マルチパート安全閉鎖装置。
【請求項７】
温水ボトル用の安全閉鎖装置の閉鎖部（４）と解放可能に連結するための温水ボトル用の安全閉鎖装置の閉鎖部取付要素（３０２）であって、
少なくとも、
前記温水ボトル用の安全閉鎖装置の前記閉鎖部（４）に配置するための位置決め要素（３０４）または複数の位置決め要素と、
好ましくは機能領域（３０８）を形成し、前記機能領域（３０８）が好ましくは温水ボトル用の前記安全閉鎖装置の前記閉鎖部（４）の力伝達要素（６）と少なくとも部分的に重なり合うように形成される少なくとも１つの機能的手段（３０６）と、を含み、
前記位置決め要素（３０４）が、第１の面（３１０）または前記機能的手段（３０６）の第１の面に配置され、または複数の前記位置決め要素が第１の面（３１０）または前記機能的手段（３０６）の第１の面に配置されることを特徴とする、温水ボトル用の安全閉鎖装置の閉鎖部取付要素。
【国際調査報告】
2018507759.tif 000062
2018507759.tif 000063
2018507759.tif 000064
2018507759.tif 000065
2018507759.tif 000066
2018507759.tif 000067
2018507759.tif 000068
2018507759.tif 000069
2018507759.tif 000070
2018507759.tif 000071